(57)【特許請求の範囲】
【請求項１】
長尺状の主材と、その主材の両端部に取り付けられた端部金具からなる幅木であって、上記端部金具の少なくとも一方は、その上端部と下端部の２個所で上記主材の端部に取り付けられており、かつ、その上端部は取り外し可能であるとともに、その上端部を取り外したときに上記端部金具はその下端部で回動可能であることを特徴とする幅木。
【請求項２】
前記端部金具の少なくとも一方は回動保持部材によって前記主材の端部に対して回動可能に取り付けられていることを特徴とする請求項１に記載の幅木。
【請求項３】
前記端部金具の少なくとも一方は操作部を操作することによって前記主材の端部から取り外し可能であることを特徴とする請求項１又は２に記載の幅木。
【請求項４】
長尺状の主材と、その主材の両端部に連結金具を介して取り付けられた端部金具からなる幅木であって、上記連結金具の少なくとも一方は、その上端部と下端部の２個所で上記主材の端部に取り付けられており、かつ、その上端部は取り外し可能であるとともに、その上端部を取り外したときに上記連結金具はその下端部で回動可能であることを特徴とする幅木。
【請求項５】
前記連結金具の少なくとも一方は回動保持部材によって前記主材の端部に対して回動可能に取り付けられていることを特徴とする請求項４に記載の幅木。
【請求項６】
前記連結金具の少なくとも一方は操作部を操作することによって前記主材の端部から取り外し可能であることを特徴とする請求項４又は５に記載の幅木。
【請求項７】
前記端部金具はいずれも枠組足場を構成する横桟又は腕木材に係止可能な形状を有することを特徴とする請求項１から６までのいずれかに記載の幅木。
【請求項８】
枠組足場を構成する床付き布枠に向けて突出する突出材が前記主材の下部に取り付けられていることを特徴とする請求項１から７までのいずれかに記載の幅木。
【請求項９】
前記突出材は前記主材に対して回動可能に取り付けられていることを特徴とする請求項８に記載の幅木。
【請求項１０】
枠組足場を構成する床付き布枠に向けて突出する突出部が前記主材の下部に形成されていることを特徴とする請求項１から７までのいずれかに記載の幅木。
【請求項１１】
前記端部金具の下端部はいずれも、床付き布枠の掴み金具を収容可能な略Ｕ字形状であることを特徴とする請求項１から１０までのいずれかに記載の幅木。
【請求項１２】
請求項１から１１までのいずれかに記載の幅木を備えてなる枠組足場。
【発明の詳細な説明】
【技術分野】
【０００１】
本発明は、建築現場等において用いられる幅木および枠組足場に関する。
【背景技術】
【０００２】
建築現場等で用いられる枠組足場には、例えば、建枠に筋違（すじかい）や手摺枠を取り付けてなる「建枠式足場」と、支柱部材やブレース材（斜材ともいう。）や手摺部材等の足場構成部材を緊結して組み立ててなる「緊結式足場」がある。
【０００３】
「建枠式足場」は、通常、横桟と縦柱から構成されるＨ形状や鳥居形状の建枠を複数個組み立てることによって形成される。すなわち、建枠の複数個を、所定の間隔で建物等の構造物とは直角に立設し、隣接する建枠の縦柱の間に筋違や手摺枠を取り付け固定して複数個の建枠を自立させた後、隣接する建枠の横桟の間に床付き布枠（布板ともいう。）を１枚又は２枚以上架け渡すことで、１単位の足場を形成する。次に、既に立設した建枠の上に、別途用意された建枠を立設し、同様にして筋違や手摺枠を隣接する建枠の間に取り付け固定した後、新たに立設した建枠の横桟の上に床付き布枠を１枚又は２枚以上架け渡すことによって一つ上の段の足場を形成する。これを順次繰り返すことによって、全体の枠組み足場を形成する。
【０００４】
この建枠として、鳥居形状の建枠（以下、「鳥居枠」という。）を用いて枠組足場を形成する一例を、図１に示す。(a)が正面図、(b)が右側面図である。
【０００５】
まず３個の鳥居枠４を建物１４とは直角に等間隔に並べ、隣接する鳥居枠４との間に、建物とは反対側に筋違１３をロック金具８ｂに取り付け、そして建物側にも筋違１３をロック金具８ａに取り付けて、１段目の鳥居枠４を自立させることによって、１段目の足場を形成する。その後、１段目の隣接する鳥居枠４の上部の横桟３の間に２段目の足場板となる床付き布枠１１を架け渡した後、既に立設した１段目の鳥居枠４の縦柱２の上に、別途用意した鳥居枠４の縦柱２の下部を載置し、固定ピン（図示せず）で固定することによって、２段目の鳥居枠４を立設する。その後、１段目と同様にして、建物とは反対側に筋違１３をロック金具８ｂに取り付け、そして、建物側にも筋違１３をロック金具８ａに取り付けて、２段目の鳥居枠４を自立させることによって、２段目の足場を形成する。その後、２段目の隣接する鳥居枠４の上部の横桟３の間に３段目の足場板となる床付き布枠１１を架け渡した後、既に立設した２段目の鳥居枠４の縦柱２の上に、別途用意した鳥居枠４の縦柱２の下部を載置し、固定ピン（図示せず）で固定することによって、３段目の鳥居枠４を立設する。その後、２段目と同様にして、建物とは反対側に筋違１３をロック金具８ｂに取り付け、そして、建物側にも筋違１３をロック金具８ａに取り付けて、３段目の鳥居枠４を自立させることによって、３段目の足場を形成する。このようにして、必要な段数になるまで枠組足場を形成する。
【０００６】
なお、ここでは筋違を用いることによって各段の枠組を自立させる手順を説明したが、筋違の一部を手摺枠に置き換えて各段の枠組を自立させてもよい。
【０００７】
また、建枠を用いる他の例として、Ｈ形状の建枠（以下、「Ｈ枠」という。）を用いて枠組足場を形成する１例を、図２に示す。(a)が正面図、(b)が右側面図である。
【０００８】
３個のＨ枠１を建物１４とは直角に等間隔に並べ、隣接するＨ枠の間に、建物とは反対側に手摺枠１０をロック金具６ｂに取り付けて、１段目のＨ枠１を自立させる。さらに、建物とは反対側に手摺枠１０をロック金具７ｂに取り付け、そして建物側の筋違（斜材）１３をロック金具７ａに取り付けて固定する。その後、１段目の隣接するＨ枠１の横桟３の間に床付き布枠１１を架け渡して、１段目の足場を形成する。次に、既に立設した１段目のＨ枠１の縦柱２の上に、別途用意したＨ枠１の縦柱２の下部を載置し、固定ピン（図示せず）で固定することによって、２段目のＨ枠１を立設する。その後、１段目と同様にして、建物とは反対側に手摺枠１０をロック金具６ｂと７ｂに取り付け、そして、建物側に筋違１３をロック金具７ａに取り付けて固定し、その後、２段目のＨ枠１の横桟３に床付き布枠１１を架け渡して、２段目の足場を形成する。３段目の足場も、２段目の足場と同じ手順で組み立てる。すなわち、建物とは反対側に手摺枠１０を取り付け、そして、建物側に筋違１３を取り付けて固定し、その後、３段目のＨ枠１の横桟３に床付き布枠１１を架け渡して、３段目の足場を形成する。このようにして、必要な段数になるまで枠組足場を形成する。
【０００９】
なお、ここでは手摺枠と筋違を用いることによって各段の枠組を自立させる手順を説明したが、手摺枠を用いることなく筋違だけでも枠組を自立させることができる。
【００１０】
このように枠組足場においては、隣接する建枠の縦柱の間には筋違（すじかい）又は手摺枠が設けられている。
【００１１】
一方、「緊結式足場」は、「コマ」と呼ばれる取付部材が複数個設けられた支柱部材に、手摺部材、ブレース材、腕木部材等の足場構成部材をコマを介して取り付け、そして、コマにおいて楔等によってこれらの足場構成部材を緊結した後、床付き布枠を１枚又は２枚以上架け渡すことによって、組み立てられる。
【００１２】
図３に、緊結式足場の構造の一例を示す。(a)は緊結式足場の正面図、(b)は(a)において円で示されたコマの周辺の拡大図、そして、(c)は緊結式足場の右側面図である。
【００１３】
緊結式足場は、支柱５０が建物側とその反対側に各３本が立設されている。各々の支柱５０は、複数のコマ５１を有する支柱部材５２を縦に継ぎ足すことによって形成されている。建物側の隣接する支柱５０の間には、コマ５１を介してブレース材５３が取り付けられ、また、建物とは反対側の隣接する支柱５０の間には、コマ５１を介して作業用手摺５４が取り付けられ、コマ５１において楔等で緊結される。さらに、建物側の支柱５０と建物とは反対側の支柱５０の間には、コマ５１を介して腕木材５５が取り付けられ、コマ５１において楔等で緊結され、そして、隣接する腕木材５５の間に、床付き布枠１１を架け渡すことで、１段目の足場が形成される。なお、ブレース材５３は建物とは反対側の支柱５０の間に取り付ける場合もある。
【００１４】
２段目の足場は、１段目の足場と同様にして形成される。必要に応じて、１段目の足場の支柱５０の上端に別途用意した支柱５０を縦方向に継ぎ足した上で、ブレース材５３、手摺部材１５、腕木部材２１をコマ５１を介して取り付け緊結した後、床付き布枠１１を架け渡すことによって、形成される。これを順次繰り返すことによって、複数段の緊結式足場が形成される。
【００１５】
しかしながら、図１に例示した鳥居枠からなる枠組足場においては、筋違１３と床付き布枠１１との間には大きな空間が形成されている。そのため、その空間から建築材料または工具等の物体が落下するおそれがある。また、図２に例示したＨ枠からなる枠組足場においては、建物１４と反対側の縦柱２の間は手摺枠１０が設けられているが、建物１４側には手摺枠１０が設けられていない。そのため、図２の枠組足場においても建物１４側では、筋違１３と床付き布枠１１との間には大きな空間が形成されており、その空間から建築材料または工具等の物体が落下するおそれがある。また、必ずしも手摺枠１０が設置されるとは限らず、図１と同様に、筋違１３で代用される場合がある。この場合には、図１と同様に、筋違１３と床付き布枠１１との間には大きな空間が形成され、物体が落下するおそれがある。また、図３に示した緊結式足場においても、作業用手摺５４と床付き布枠１１との間には大きな空間が形成されており、その空間から建築材料または工具等の物体が落下するおそれがある。
【００１６】
そこで、このような問題を解決するために、枠組足場に幅木を設置する場合がある。図４は、横桟３の間の道路側に幅木が設置された枠組足場の一例である。この枠組足場においては、隣接する横桟３上に板状の幅木１６が取り付けられている。なお、枠組足場の建物側にも幅木１６が取り付けられてもよい。このように幅木１６を設置することにより、床付き布枠１１上で物体１７が転がった場合でも、床付き布枠１１上からその物体１７が落下することを防止することができる。
【００１７】
ところで、図４においては幅木１６を簡略化して図示しているが、実際には、幅木１６を枠組足場に安定して固定するための金具等が設けられている（例えば、特許文献１参照）。
【００１８】
図５は、従来の幅木の一例を示す正面図（図４において床付き布枠１１と反対側から見た図）である。また、図６は、図５の幅木１６の左端部の拡大図であり、図７は、図５の幅木１６の拡大左側面図である。なお、図５には、幅木１６の他に、横桟３および床付き布枠１１が示されている。
【００１９】
図５に示すように、この幅木１６は、板状の主材１６ａおよびその主材１６ａの両端部に設けられる端部金具１８からなる。図５〜図７に示すように、主材１６ａの上端部および下端部には、それぞれ鉤状の屈曲部１６ｂが形成されている。端部金具１８は、主材１６ａの両面にそれぞれ固定される固定プレート１９を有する。固定プレート１９は、ボルト２０によって主材１６ａに固定されている。各固定プレート１９の下端の外側には、略円弧状の湾曲部１９ａが形成されている。また、各固定プレート１９の下端には、落下錠２１が取り付けられている。図５に示すように、端部金具１８の下端の外側の湾曲部１９ａを横桟３の上面側に係止させることにより、隣接する２つの横桟３の間に幅木１６を容易に取り付けることができる。また、湾曲部１９ａを横桟３の上面側に係止させた状態で落下錠２１を下方にずらすことにより、幅木１６を横桟３に容易に固定（ロック）することができる。
【先行技術文献】
【特許文献】
【００２０】
【特許文献１】特開２００６−１６９９０２号公報
【発明の概要】
【発明が解決しようとする課題】
【００２１】
しかしながら、上記の端部金具１８を有する幅木１６においても、以下のような問題がある。
【００２２】
図８および図９は、端部金具１８によって横桟３に固定された幅木１６を取り外す際の様子を示す図である。なお、図８において（ａ）は、端部金具１８のロック解除前の状態を示し、（ｂ）は、ロック解除後の状態を示している。
【００２３】
図８（ａ）,（ｂ）に示すように、横桟３に固定された幅木１６を取り外す際には、まず作業者は、自分の指２２によって落下錠２１を上方にずらすことにより落下錠２１のロックを解除する。そして、落下錠２１のロックを解除した状態で幅木１６を上方に持ち上げることにより、横桟３から幅木１６を取り外すことができる。
【００２４】
ここで、上述したように、固定プレート１９は主材１６ａの両面にそれぞれ固定されており、各固定プレート１９にはそれぞれ落下錠２１が取り付けられている。そのため、図９に示すように、幅木１６の外側（床付き布枠１１とは反対側）の落下錠２１のロックを解除する際には、作業者は、一方の腕を幅木１６の外側に伸ばして作業しなければならない。この際、作業者は、幅木１６の外側の落下錠２１の位置等を正確に把握するために幅木１６の外側に身を乗り出す必要があり、バランス等を崩した場合には床付き布枠１１上から転落するおそれがある。
【００２５】
また、図９に示すように、落下錠２１は床付き布枠１１よりも下側に位置するので、落下錠２１のロックを解除するためには、作業者は、足元よりも下側に手を伸ばす必要がある。そのため、作業者はしゃがんで作業をする必要があり、作業効率が低下する。さらに、落下錠２１は複数個設ける必要があるので、枠組足場のコストが増加する。
【００２６】
本発明は、上記のような問題を解決するためになされたものであって、作業者の安全性および作業効率の向上ならびに枠組足場のコスト低減を可能にする幅木およびその幅木を備えた枠組足場を提供することを目的とする。
【課題を解決するための手段】
【００２７】
本発明者らは、上記のような問題点を解決するために種々の検討を重ねた。その結果、次の（ａ）〜（ｇ）に示す知見を得た。
【００２８】
（ａ）作業者の安全性を確保するためには、作業者が幅木の外側に身を乗り出すことなく幅木を横桟または腕木材（以下、横桟等と記す。）に固定およびその解除を行うことができればよい。そのためには、落下錠等を用いることなく幅木を横桟等に固定およびその解除を行うことができる構成にすればよい。
【００２９】
（ｂ）落下錠等を用いることなく幅木を横桟等に固定およびその解除を行うためには、幅木の主材の両端に端部金具を直接取り付け、端部金具の少なくとも一方は、その上端部と下端部の２個所で上記主材の端部に取り付け、そのうちの１個所は端部金具を上記主材の端部に対して回動可能であるとともに、他の１個所は端部金具を上記主材の端部から取り外し可能な構成にすればよい。この場合、作業者は、立ったまま主材の端部に直接取り付けられた一方の端部金具を回動させるだけで幅木を横桟に固定およびその解除を行うことができる。したがって、作業者が幅木の外側に身を乗り出す必要も、しゃがんで作業を行う必要も無いので、安全性が向上するとともに作業効率も向上する。また、落下錠等の複雑なロック機構を設ける必要が無いので、コストを低減することができる。
【００３０】
端部金具は、連結金具を介して主材に取り付けることもできる。この場合には、連結金具の少なくとも一方は、その上端部と下端部の２個所で上記主材の端部に取り付け、そのうちの１個所は連結金具を上記主材の端部に対して回動可能であるとともに、他の１個所は連結金具を上記主材の端部から取り外し可能な構成にすればよい。それにより、上記の場合と同様に、作業者は、立ったまま主材の端部に直接取り付けられた一方の連結金具（端部金具）を回動させるだけで幅木を横桟に固定およびその解除を行うことができる。
【００３１】
（ｃ）端部金具（または連結金具）の少なくとも一方を主材の端部に対して回動可能にするためには、ボルト・ナットまたはピン等からなる回動保持部材によって上記一方の端部金具（または連結金具）を主材の端部に取り付ければよい。
【００３２】
（ｄ）端部金具（または連結金具）の少なくとも一方は、操作部を操作することによって主材の端部から取り外し可能な構成にすることが好ましい。この場合、作業者は、操作部を操作することにより、端部金具（または連結金具）を容易に固定または回動可能な状態にすることができるので、幅木の設置および取り外しを容易に行うことができる。
【００３３】
（ｅ）幅木を横桟又は腕木材に確実に固定するためには、端部金具はいずれも枠組足場を構成する横桟又は腕木材に係止可能な形状を有することが好ましい。
【００３４】
（ｆ）枠組足場において作業者の足場となる領域を広くするためには、幅木の主材の下部に枠組足場を構成する床付き布枠に向けて突出する突出材を取り付けるか、幅木の主材の下部に床付き布枠に向けて突出する突出部を形成することが好ましい。また、運搬時および収納時に幅木をコンパクトにするためには、上記突出材は主材に回動可能に取り付けられることが好ましい。
【００３５】
（ｇ）幅木の端部金具の下端部はいずれも、床付き布枠の端部金具を収容可能な略Ｕ字形状であることが好ましい。この場合、横桟に固定されている床付き布枠の掴み金具の両側を覆うように端部金具を横桟に固定することができる。したがって、床付き布枠の掴み金具と幅木の端部金具とを横桟の同じ位置に固定することができるので、幅木を床付き布枠に近接して設置することができる。この場合、幅木と床付き布枠との間に隙間が形成されることを防止することができるので、床付き布枠上から物体が落下することを確実に防止することができる。
【００３６】
本発明は、上記の知見に基づいて完成したものであって、その要旨は下記の（１）〜（１１）の幅木および（１２）の枠組足場にある。以下、総称して、本発明という。
【００３７】
（１）長尺状の主材と、その主材の両端部に取り付けられた端部金具からなる幅木であって、上記端部金具の少なくとも一方は、その上端部と下端部の２個所で上記主材の端部に取り付けられており、かつ、その上端部は取り外し可能であるとともに、その上端部を取り外したときに上記端部金具はその下端部で回動可能であることを特徴とする幅木。
【００３８】
（２）端部金具の少なくとも一方は回動保持部材によって主材の端部に対して回動可能に取り付けられていることを特徴とする上記（１）に記載の幅木。
【００３９】
（３）端部金具の少なくとも一方は操作部を操作することによって主材の端部から取り外し可能であることを特徴とする上記（１）又は（２）に記載の幅木。
【００４０】
（４）長尺状の主材と、その主材の両端部に連結金具を介して取り付けられた端部金具からなる幅木であって、上記連結金具の少なくとも一方は、その上端部と下端部の２個所で上記主材の端部に取り付けられており、かつ、その上端部は取り外し可能であるとともに、その上端部を取り外したときに上記連結金具はその下端部で回動可能であることを特徴とする幅木。
【００４１】
（５）連結金具の少なくとも一方は回動保持部材によって主材の端部に対して回動可能に取り付けられていることを特徴とする上記（４）に記載の幅木。
【００４２】
（６）連結金具の少なくとも一方は操作部を操作することによって主材の端部から取り外し可能であることを特徴とする上記（４）又は（５）に記載の幅木。
【００４３】
（７）端部金具はいずれも枠組足場を構成する横桟又は腕木材に係止可能な形状を有することを特徴とする上記（１）から（６）までのいずれかに記載の幅木。
【００４４】
（８）枠組足場を構成する床付き布枠に向けて突出する突出材が主材の下部に取り付けられていることを特徴とする上記（１）から（７）のいずれかに記載の幅木。
【００４５】
（９）突出材は主材に対して回動可能に取り付けられていることを特徴とする上記（８）に記載の幅木。
【００４６】
（１０）枠組足場を構成する床付き布枠に向けて突出する突出部が主材の下部に形成されていることを特徴とする上記（１）から（７）までのいずれかに記載の幅木。
【００４７】
（１１）端部金具の下端部はいずれも、床付き布枠の掴み金具を収容可能な略Ｕ字形状であることを特徴とする上記（１）から（１０）までのいずれかに記載の幅木。
【００４８】
（１２）上記（１）から（１１）までのいずれかに記載の幅木を備えてなる枠組足場。
【発明の効果】
【００４９】
本発明によれば、作業者の安全性および作業効率の向上ならびに枠組足場のコスト低減を可能にする。
【図面の簡単な説明】
【００５０】
【図１】鳥居枠を用いて枠組足場を形成する一例である。
【図２】Ｈ枠を用いて枠組足場を形成する一例である。
【図３】緊結式足場の構造の一例である。
【図４】鳥居枠からなる枠組足場に下桟を設けた場合の一例を示す斜視図である。
【図５】従来の幅木の一例を示す正面図（図４において床付き布枠と反対側から見た図）である。
【図６】図５の幅木の一端部を示す拡大図である。
【図７】図５の幅木の拡大左側面図である。
【図８】幅木を取り外す際の様子を示す図である。
【図９】幅木を取り外す際の様子を示す図である。
【図１０】本発明の第１の例に係る幅木が設置された枠組足場を示す斜視図である。
【図１１】図１０に示した幅木の正面図（図１０において床付き布枠と反対側から見た図）である。
【図１２】図１１の主材を示す正面図である。
【図１３】図１１の端部金具を示す正面図である。
【図１４】図１１の幅木の両端部を示す拡大正面図である。
【図１５】図１１の幅木の両端部を示す拡大平面図である。
【図１６】端部金具が主材に回動自在に取り付けられた一例を示す正面図である。
【図１７】連結金具の上端を主材の上部から取り外して、端部金具を回動可能な状態にする際の様子を示す平面図である。
【図１８】幅木を枠組足場に設置する際の様子を示す図である。
【図１９】幅木を枠組足場に設置する際の様子を示す図である。
【図２０】幅木を枠組足場に設置する際の様子を示す図である。
【図２１】幅木を枠組足場に設置する際の様子を示す図である。
【図２２】図１０に矢印Ａで示す部分の拡大平面図である。
【図２３】幅木を枠組足場から取り外す際の様子を示す図である。
【図２４】幅木を枠組足場から取り外す際の様子を示す図である。
【図２５】本発明の第２の例に係る幅木が設置された枠組足場を示す斜視図である。
【図２６】図２５のＡ−Ａ線拡大断面図である。
【図２７】端部金具の他の例を示す正面図である。
【図２８】端部金具のさらに他の例を示す図である。（ａ）は平面図であり、（ｂ）は正面図である。
【図２９】端部金具のさらに他の例を示す図である。
【図３０】端部金具のさらに他の例を示す図である。
【図３１】端部金具のさらに他の例を示す図である。
【図３２】連結金具の上端を主材の上部に取り付けるための構成の他の例を示す平面図である。
【図３３】連結金具の上端を主材の上部に取り付けるための構成のさらに他の例を示す平面図である。
【図３４】突出材の他の例を示す側面図である。
【図３５】突出材のさらに他の例を示す側面図である。
【図３６】突出材のさらに他の例を示す側面図である。
【図３７】主材の他の例を示す側面図である。
【図３８】主材のさらに他の例を示す側面図である。
【図３９】主材のさらに他の例を示す側面図である。
【図４０】主材のさらに他の例を示す側面図である。
【発明を実施するための形態】
【００５１】
以下、本発明の実施の形態に係る幅木および枠組足場について説明する。
【００５２】
１．第１の例
図１０は、本発明の第１の例に係る幅木が設置された枠組足場を示す斜視図である。なお、図１０に示した枠組足場は、幅木３０を除いて図１および図４に示した枠組足場と同一の構成を有する。また、図１０は、枠組足場の道路側に幅木３０が設置される例を示しているが、建物側にも幅木３０が設置されてもよい。図１１は、図１０に示した幅木の正面図（図１０において床付き布枠１１と反対側から見た図）である。
【００５３】
図１０および図１１に示すように、本例に係る幅木３０は、長尺状の主材３１、主材３１の一端部に設けられる端部金具３２および主材３１の他端部に設けられる端部金具３３からなる。
【００５４】
図１２は、図１１の主材３１を示す正面図であり、図１３は、図１１の端部金具３２，３３を示す正面図である。図１３（ａ）は幅木３０の左側の端部金具３２を示し、図１３（ｂ）は幅木３０の右側の端部金具３３を示す。図１４は、図１１の幅木３０の両端部を示す拡大正面図である。図１４（ａ）は、幅木３０の左側の端部を示し、図１４（ｂ）は、幅木３０の右側の端部を示す。なお、図１４には、図１０の枠組足場の横桟３および床付き布枠１１が示されている。図１５は、図１１の幅木３０の両端部を示す拡大平面図である。図１５（ａ）は、幅木３０の左側の端部を示し、図１５（ｂ）は、幅木３０の右側の端部を示す。
【００５５】
図１２に示すように、主材３１の上端部および下端部には、図７の屈曲部１６ｂと同様の形状の屈曲部３１ａが形成されている。図１２および図１５に示すように、主材３１の正面側および背面側の四隅には、それぞれ貫通孔３１ｂが形成されている。主材３１の上側の屈曲部３１ａの一端側（左側）の内面には、板バネ３１ｃが取り付けられている。図１５に示すように、板バネ３１ｃの一端は固定ピン３１ｄによって屈曲部３１ａの内面に固定されており、他端は自由端となっている。図１２および図１５に示すように、板バネ３１ｃの他端部には操作ボタン３１ｅが取り付けられている。操作ボタン３１ｅは、主材３１の正面側の貫通孔３１ｂ内を進退可能に設けられている。なお、本例においては、操作ボタン３１ｅが特許請求の範囲の操作部に相当する。
【００５６】
図１１および図１３〜図１５に示すように、左側の端部金具３２は、連結金具３２ａおよび係止金具３２ｂからなり、右側の端部金具３３は、連結金具３３ａおよび係止金具３３ｂからなる。連結金具３２ａおよび係止金具３２ｂならびに連結金具３３ａおよび係止金具３３ｂは、たとえば、溶接により接合されている。図１５に示すように、連結金具３２ａ，３３ａおよび係止金具３２ｂ，３３ｂは、平面視において略Ｕ字状の形状を有する。連結金具３２ａは、主材３１の一端（左側の端部）に連結され、連結金具３３ａは、主材３１の他端（右側の端部）が連結される。
【００５７】
図１３（ａ）に示すように、連結金具３２ａの上端部および下端部には、貫通孔３２ｃが形成されており、図１３（ｂ）に示すように、連結金具３３ａの上端部および下端部には、貫通孔３３ｃが形成されている。
【００５８】
図１１、図１３および図１４に示すように、係止金具３２ｂの下部には、下方に向かって突出する突出部３２ｄが形成されている。突出部３２ｄは、略円弧状に湾曲する湾曲部３２ｅを有する。同様に、係止金具３３ｂの下部にも、湾曲部３３ｅを有する突出部３３ｄが形成されている。なお、図１１、図１３および図１４では、端部金具３２，３３の正面側が示されているが、端部金具３２，３３の背面側にも正面側と同様に突出部３２ｄ，３３ｄが形成されている。
【００５９】
図１４および図１５に示すように、連結金具３２ａの下端は、ボルト３４およびナット３５によって主材３１の一端部の下部に回動可能に取り付けられている。そして、連結金具３２ａの上端は、操作ボタン３１ｅによって主材３１の一端部の上部に固定されている。具体的には、貫通孔３１ｂ（図１５参照）および貫通孔３２ｃ内に操作ボタン３１ｅが挿通されることにより、連結金具３２ａの上端は主材３１の上部に固定されている。
【００６０】
図１６は、端部金具３２が主材３１に回動自在に取り付けられた一例を示す正面図である。図１６に示すように、連結金具３２ａの下端は、ボルト３４およびナット３５によって回動自在に保持されている。なお、本例においては、ボルト３４およびナット３５が特許請求の範囲の回動保持部材に相当する。
【００６１】
図１７は、連結金具３２ａの上端を主材３１の上部から取り外して、端部金具３２を回動可能な状態にする際の様子を示す平面図である。図１７に示すように、本例に係る幅木においては、操作ボタン３１ｅを屈曲部３１ａの内面側に押し込むことにより連結金具３２ａの上端が主材３１の上部から取り外される。それにより、図１６に示すように、ボルト３４を回転中心として端部金具３２を回動させることができる。
【００６２】
なお、連結金具３２ａの下端を主材３１の一端部の下部に回動自在に取り付けるためのナット３５としては、例えば、回り止めが設けられたロックナット（ナイロンナット）等を用いることができる。また、ボルト３４およびナット３５の代わりにリベット等を端部金具３２の回動保持部材として用いてもよい。
【００６３】
一方、図１４（ｂ）に示すように、端部金具３３の連結金具３３ａは、上下端とも主材３１の他端部（右側端部）にボルト３４およびナット３５によって取り付けられているので回動しない。連結金具３３ａの上下端を主材３１に取り付けるためのナット３５としては、例えば、回り止めが設けられたロックナット（ナイロンナット）等を用いることができる。ボルト３４およびナット３５に加えてスプリングワッシャー等を用いてもよい。また、ボルト３４およびナット３５の代わりにリベット等によって連結金具３３ａを主材３１に取り付けてもよい。
【００６４】
なお、幅木３０を枠組足場に設置した場合に、湾曲部３２ｅ，３３ｅ（図１４）の水平方向に対する傾斜角度α（図１４参照）は３０〜６０度であることが好ましく、略４５度であることがさらに好ましい。
【００６５】
次に、幅木３０の設置方法および取り外し方法について説明する。図１８〜図２１は、幅木３０を枠組足場に設置する際の様子を示す図であり、図２２は、図１０に矢印Ａで示す部分の拡大平面図である。また、図２３および図２４は、幅木３０を枠組足場から取り外す際の様子を示す図である。なお、図１８〜図２１、図２３および図２４においては、枠組足場のうち横桟３および床付き布枠１１のみを簡略化して図示している。また、図２２においては、端部金具３２，３３のうち係止金具３２ｂ，３３ｂのみを図示している。
【００６６】
まず、幅木３０を設置する場合について説明する。図１８に示すように、枠組足場の２つの横桟３の間に幅木３０を設置する際には、作業者は、端部金具３３の突出部３３ｄの湾曲部３３ｅを一方の横桟３に係止させる。次に、図１９および図２０に示すように、端部金具３２の上端を主材３１の上部から取り外して、端部金具３２を回動（傾斜）させて、湾曲部３２ｅを他方の横桟３に近接させる。次に、図２１に示すように、湾曲部３２ｅを横桟３に係止させた状態で突出部３２ｄの湾曲部３２ｅが横桟３の上面側および下方側の両方を覆うように端部金具３２を回動させる。これにより、端部金具３２，３３の上下方向の移動が横桟３によって規制される。最後に、操作ボタン３１ｅによって端部金具３２の上端を主材３１の上部に取り付ける。これにより、隣接する横桟３の間に幅木３０が固定され、設置作業が完了する。
【００６７】
ここで、図１０に示すように、床付き布枠１１は掴み金具２４によって横桟３に取り付けられている。また、図１５で説明したように、端部金具３２，３３の係止金具３２ｂ，３３ｂは、平面視において略Ｕ字状の形状を有する。幅木３０を設置する際には、図２２に示すように、略Ｕ字状の係止金具３２ｂ，３３ｂ内に掴み金具２４を収容することができる。この場合、幅木３０を床付き布枠１１に近接して設置または幅木３０を床付き布枠１１上に設置することができるので、幅木３０と床付き布枠１１との間に隙間が形成されることを防止することができる。それにより、床付き布枠１１上から物体が落下することを確実に防止することができる。
【００６８】
次に、幅木３０を取り外す場合について説明する。図２３に示すように、幅木３０を取り外す際には、作業者は、まず、端部金具３２の上端を主材３１の上部から取り外し、突出部３２ｄの湾曲部３２ｅが横桟３の下面側を覆わない位置まで端部金具３２を回動させる。これにより、端部金具３２の上方への移動が可能になるので、幅木３０の端部金具３２側を上方に持ち上げることができる。次に、図２４に示すように、幅木３０の端部金具３２側を持ち上げた状態で、幅木３０の端部金具３３側を引き抜く。これにより、幅木３０の取り外し作業が完了する。
【００６９】
以上のように、本発明に係る幅木３０においては、作業者は、端部金具３２を主材３１に対して回動させることにより、幅木３０の設置およびその取り外しを行うことができる。したがって、作業者は、幅木３０の設置および取り外し作業を立ったままの状態でかつ幅木３０の外側に身を乗り出すことなく行うことができる。また、操作ボタン３１ｅ（図１６および図１７参照）を操作することにより、端部金具３２の上端を主材３１に取り付けることおよび取り外すことができるので、作業者は容易に幅木３０の設置および取り外しを行うことができる。これらの結果、作業者の安全性および作業効率が向上する。また、本発明に係る幅木３０においては、複数個の落下錠等を設ける必要がないので、コストを低減することができる。
【００７０】
２．第２の例
図２５は、本発明の第２の例に係る幅木が設置された枠組足場を示す斜視図であり、図２６は、図２５のＡ−Ａ線拡大断面図である。本発明の第２の例に係る幅木が上述の第１の例に係る幅木と異なるのは以下の点である。
【００７１】
図２５および図２６に示すように、第２の例に係る幅木３６は、床付き布枠１１側に向かって突出する板状の突出材３７を有する。図２６に示すように、突出材３７の一端部は主材３１の下端に溶接またはボルト・ナット等により固定され、他端部は床付き布枠１１上に載置されている。
【００７２】
この幅木３６を用いる場合、作業者は、床付き布枠１１だけでなく突出材３７も足場として利用することができる。すなわち、この幅木３６を用いることにより作業者の足場を拡大することができる。それにより、作業者の作業効率を向上させることができる。
【００７３】
３．変形例
上記の例では、操作ボタン３１ｅ（図１６および図１７参照）が幅木３０の正面側（床付き布枠１１と反対側）に設けられているが、操作ボタン３１ｅが幅木３０の背面側に設けられてもよい。
【００７４】
また、上記の例では、端部金具３２のみが主材３１に対して回動可能な構成になっているが、端部金具３２と同様に端部金具３３も主材３１に対して回動可能な構成にしてもよい。
【００７５】
また、上記の例では、屈曲部３１ａ（図１４および図１５参照）が幅木３０の正面側（床付き布枠１１と反対側）に形成されているが、屈曲部３１ａが幅木３０の背面側（床付き布枠１１側）側に形成されていてもよい。
【００７６】
また、上記の例では、主材３１の一端部の上部に操作ボタン３１ｅ（図１４および図１５参照）が設けられているが、主材３１の一端部の下部に操作ボタン３１ｅが設けられてもよい。すなわち、端部金具３２の上端が主材３１の一端部の上部にボルト３４およびナット３５によって回動可能に取り付けられ、端部金具３２の下端が操作ボタン３１ｅによって主材３１の一端部の下部に取り付けられてもよい。端部金具３２の上端が主材３１の一端部の上部に回動可能に取り付けられる場合には、端部金具３２の下端側が主材３１側に回動できる構成にすることが好ましい。この場合、端部金具３２の下端側を主材３１側に回動させることにより、横桟３（図１４参照）から突出部３２ｄ（図１４参照）を容易に離間させることができる。それにより、幅木３０を容易に取り外すことができる。
【００７７】
また、上記の例では、端部金具３３（図１１参照）はボルト３４（図１１参照）およびナット３５（図１１参照）によって主材３１（図１１参照）に取り付けられているが、溶接等の他の方法によって端部金具３３が主材３１に取り付けられてもよい。
【００７８】
また、上記の例では、端部金具３２，３３それぞれ１つの突出部３２ｄ，３３ｄ（図１３）を有しているが、端部金具３２，３３の形状は上記の例に限定されない。
【００７９】
図２７は、端部金具３２，３３の他の例を示す正面図である。なお、図２７（ａ）は端部金具３２を示し、図２７（ｂ）は端部金具３３を示す。
【００８０】
図２７に示す端部金具３２，３３が図１３に示す端部金具３２，３３と異なるのは以下の点である。すなわち、この端部金具３２，３３は、係止金具３２ｂ，３３ｂの下端において側方に突出しかつ略円弧状に湾曲する突出部３２ｆ，３３ｆを有している。この端部金具３２，３３を用いる場合、突出部３２ｆ，３３ｆが横桟３（図１０参照）の上面側に係止されるので、幅木３０の安定性を十分に向上させることができる。
【００８１】
また、上記の例では、端部金具３２において連結金具３２ａおよび係止金具３２ｂが別個の部材として構成されていたが、端部金具３２の構成は上記の例に限定されない。図２８は、端部金具３２のさらに他の例を示す図である。なお、図２８において、（ａ）は端部金具３２の平面図であり、（ｂ）は正面図である。図２８に示す端部金具３２においては、連結金具３２ａおよび係止金具３２ｂが一体形成されている。このように連結金具３２ａおよび係止金具３２ｂを一体形成することにより、端部金具３２の強度を向上させることができる。なお、端部金具３３においても連結金具３３ａおよび係止金具３３ｂを一体形成してもよい。
【００８２】
また、連結金具３２ａの形状は上記の例に限定されず、図２９に示すように、連結金具３２ａが上部と下部に分割された構成でもよい。同様に、連結金具３３ａも上部と下部に分割された構成でもよい。
【００８３】
また、係止金具３２ｂの形状は上記の例に限定されず、突出部３２ｄが形成されていればよく、例えば、図３０に示すように、係止金具３２ｂの上下方向の長さが連結金具３２ａよりも短くてもよい。同様に、係止金具３３ｂの上下方向の長さが連結金具３３ａよりも短くてもよい。また、係止金具３２ｂの上下方向の長さを短くする場合、図３１に示すように、係止金具３２ｂの上端に隙間隠し材３８を取り付けてもよい。同様に、係止金具３３ｂにも隙間隠し材を取り付けてもよい。
【００８４】
また、上記の例では、連結金具３２ａ（図１４参照）の上端は、板バネ３１ｃ（図１５参照）および操作ボタン３１ｅ（図１５参照）によって主材３１（図１４参照）の上部に取り付けられているが、連結金具３２ａの上端を主材３１に取り付けるための構成は上記の例に限定されない。図３２および図３３は、連結金具３２ａの上端を主材３１の上部に取り付けるための構成の他の例を示す平面図である。図３２に示す例では、結部３２ａの上端は、略Ｌ字状のピン３９によって主材３１の上部に取り付けられている。この場合、作業者は、ピン３９を抜くことにより、連結金具３２ａの上端を主材３１の上部から容易に取り外すことができる。なお、本例では、ピン３９が特許請求の範囲の操作部に相当する。
【００８５】
また、図３３に示す例では、連結金具３２ａの上端は、ボルト４０およびナット４１によって主材３１の上部に取り付けられている。この場合、作業者は、ボルト４０およびナット４１を取り外すことにより、連結金具３２ａの上端を主材３１の上部から容易に取り外すことができる。なお、本例では、ボルト４０およびナット４１が特許請求の範囲の操作部に相当する。
【００８６】
また、連結金具３２ａ，３３ａが設けられていなくてもよい。この場合、係止金具３２ｂ，３３ｂに貫通孔３２ｃ，３３ｃ（図１３参照）を形成し、係止金具３２ｂ，３３ｂを幅木３０に直接取り付ければよい。
【００８７】
また、上記第２の例においては、主材３１の下部に突出材３７（図２６参照）を設けた場合について説明したが、突出材３７の形状は上記の例に限定されない。図３４〜図３６は、突出材３７の他の例を示す側面図である。図３４に示す例では、略三角形状に折れ曲がった板状の突出材３７が主材３１の下部に固定されている。図３５に示す例では、略Ｌ字状の突出材３７が主材３１の下部に固定されている。また、図３６に示す例では、突出材３７は、保持部材４２を介して主材３１の下部に回動可能に取り付けられている。この場合、幅木３０を運搬または倉庫等に収納する際に、突出材３７を主材３１側に回動させることにより、幅木３０をコンパクトにまとめることができる。それにより、幅木３０の運搬効率および収納効率を向上させることができる。
【００８８】
また、突出材３７を設ける代わりに、図３７〜図４０（主材３１の側面図）に示すように、主材３１の下部に突出部４３を形成してもよい。
【００８９】
また、上記においては、鳥居枠を有する枠組足場に幅木３０，３６を用いた場合について説明したが、Ｈ枠を有する枠組足場に幅木３０，３６を用いてもよい。
【００９０】
また、上記においては、建枠式足場に幅木３０，３６を設置する場合について説明したが、緊結式足場に幅木３０，３６を設置してもよい。なお、緊結式足場に設置される場合には、幅木３０，３６は端部金具を介して腕木材に固定される。
【産業上の利用可能性】
【００９１】
本発明によれば、作業者の安全性および作業効率の向上ならびに枠組足場のコスト低減を可能にする。
【符号の説明】
【００９２】
１  Ｈ枠
２  縦柱
３  横桟
４  鳥居枠
６ｂ  ロック金具
７ａ  ロック金具
７ｂ  ロック金具
８ａ  ロック金具
８ｂ  ロック金具
９  爪部
１０  手摺枠
１１  床付き布枠
１３  筋違
１４  建物
１６  幅木
１６ａ  主材
１６ｂ  屈曲部
１７  物体
１８  端部金具
１９  固定プレート
１９ａ  湾曲部
２０  ボルト
２１  落下錠
２２  指
２４  掴み金具
３０  幅木
３１  主材
３１ａ  屈曲部
３１ｂ  貫通孔
３１ｃ  板バネ
３１ｄ  固定ピン
３１ｅ  操作ボタン
３２  端部金具
３２ａ  連結金具
３２ｂ  係止金具
３２ｃ  貫通孔
３２ｄ  突出部
３２ｅ  湾曲部
３２ｆ  突出部
３３  端部金具
３３ａ  連結金具
３３ｂ  係止金具
３３ｃ  貫通孔
３３ｄ  突出部
３３ｅ  湾曲部
３３ｆ  突出部
３４  ボルト
３５  ナット
３６  幅木
３７  突出材
３８  隙間隠し材
３９  ピン
４０  ボルト
４１  ナット
４２  保持部材
４３  突出部
５０  支柱
５１  コマ
５２  支柱部材
５３  ブレース材
５４  作業用手摺
５５  腕木材
【図１】
0005395558.tif 000002
【図２】
0005395558.tif 000003
【図３】
0005395558.tif 000004
【図４】
0005395558.tif 000005
【図５】
0005395558.tif 000006
【図６】
0005395558.tif 000007
【図７】
0005395558.tif 000008
【図８】
0005395558.tif 000009
【図９】
0005395558.tif 000010
【図１０】
0005395558.tif 000011
【図１１】
0005395558.tif 000012
【図１２】
0005395558.tif 000013
【図１３】
0005395558.tif 000014
【図１４】
0005395558.tif 000015
【図１５】
0005395558.tif 000016
【図１６】
0005395558.tif 000017
【図１７】
0005395558.tif 000018
【図１８】
0005395558.tif 000019
【図１９】
0005395558.tif 000020
【図２０】
0005395558.tif 000021
【図２１】
0005395558.tif 000022
【図２２】
0005395558.tif 000023
【図２３】
0005395558.tif 000024
【図２４】
0005395558.tif 000025
【図２５】
0005395558.tif 000026
【図２６】
0005395558.tif 000027
【図２７】
0005395558.tif 000028
【図２８】
0005395558.tif 000029
【図２９】
0005395558.tif 000030
【図３０】
0005395558.tif 000031
【図３１】
0005395558.tif 000032
【図３２】
0005395558.tif 000033
【図３３】
0005395558.tif 000034
【図３４】
0005395558.tif 000035
【図３５】
0005395558.tif 000036
【図３６】
0005395558.tif 000037
【図３７】
0005395558.tif 000038
【図３８】
0005395558.tif 000039
【図３９】
0005395558.tif 000040
【図４０】
0005395558.tif 000041